(57)【要約】【課題】簡単な操作によって一定量の内容物を精度良く容易に取り出すことができ、定量注出時に内容物によって手を汚す恐れがない定量注出機能付きパウチを提供する。【解決手段】チャック部５は、雄型シール部２３と雌型シール部２４とを備えており、雄型シール部２３は、雄型を構成する雄型シートの背面と第１シート２１の内面とが互いにシールされて形成され、雌型シール部２４は、雌型を構成する雌型シートの背面と前記第２シート２２の内面とが互いにシールされて形成されていて、雄型シール部２３は、定量注出部側に雄上側突出部と、内容物収容部側に雄下側突出部とを備え、雌雄咬み合わせ状態におけるチャック部の内容物収容部側の嵌合強度を定量注出部側の嵌合強度より弱くするために、雄上側突出部と雄下側突出部のそれぞれの先端部付近の断面の形状を非対称にする。【選択図】図１
2020045104.tif 000002
【特許請求の範囲】
【請求項１】
一対のシートである第１シート及び第２シートを、互いに対向させてシールすることに
より、内容物を収容するための袋状の部分が形成され、前記袋状の部分は、上部から順に、
注出口部、定量注出部、連通部、内容物収容部からなり、前記注出口部は、内容物を注出するための口栓を備え、前記定量注出部と前記内容物収容部が前記連通部を介して連通し、前記連通部にチャック部が形成されているパウチであって、
前記チャック部は、雄型シール部と雌型シール部とを備えており、各シール部は、突出部とシートを有し、前記雄型シール部は、雄型を構成する雄型シートの背面と前記第１シートの内面とが互いにシールされて形成され、前記雌型シール部は、雌型を構成する雌型シートの背面と前記第２シートの内面とが互いにシールされて形成されていて、
前記雄型シール部は、前記定量注出部側に雄上側突出部と、前記内容物収容部側に雄下側突出部とを備え、前記雄上側突出部と前記雄下側突出部のそれぞれの先端部付近の断面の形状が、非対称になっていることを特徴とするパウチ。
【請求項２】
一対のシートである第１シート及び第２シートを、互いに対向させてシールすることに
より、内容物を収容するための袋状の部分が形成され、前記袋状の部分は、上部から順に、
注出口部、定量注出部、連通部、内容物収容部からなり、前記注出口部は、内容物を注出するための口栓を備え、前記定量注出部と前記内容物収容部が前記連通部を介して連通し、前記連通部にチャック部が形成されているパウチであって、
前記チャック部は、雄型シール部と雌型シール部とを備えており、各シール部は、突出部とシートを有し、前記雄型シール部は、雄型を構成する雄型シートの背面と前記第１シートの内面とが互いにシールされて形成され、前記雌型シール部は、雌型を構成する雌型シートの背面と前記第２シートの内面とが互いにシールされて形成されていて、
前記雌型シール部は、前記定量注出部側に雌上側突出部と、前記内容物収容部側に雌下側突出部とを備え、前記雌上側突出部と前記雌下側突出部のそれぞれの先端部付近の断面の形状が、非対称になっていることを特徴とするパウチ。
【発明の詳細な説明】
【技術分野】
【０００１】
本発明は、パウチ内に収容した内容物を定量注出して、容易に取り出せる定量注出機能付きパウチに関する。
【背景技術】
【０００２】
従来、洗剤、調味料、食品、医薬品等のパウチとして、プラスチックフィルムの単層又
は積層材からなり、種々の形状、構造を有するパウチが提案されているが、これらのパウチは内容物の定量注出を容易に行う機能を有するものではない。
定量注出機能を有するプラスチックパウチとしては、パウチのシール面に内容物の注出路を形成し、この注出路を計量槽に接続したものが提案されているが（特許文献１）、このパウチでは内容物の計量時に注出口を手で閉じ、内容物を所定量計量槽に送り込んだ後に、
計量槽とパウチ本体の接続部を手で押さえ、注出口を開放することによって所定量の内容物を取り出すものである。
したがって、このパウチでは、一定の手順によりパウチを手によって操作することが必要であり、内容物の計量性が悪く、また内容物により手を汚す等の問題点があった。
【先行技術文献】
【特許文献】
【０００３】
【特許文献１】特開平７−４１０１７号公報
【発明の概要】
【発明が解決しようとする課題】
【０００４】
本発明はかかる状況に鑑みてなされたものであり、簡単な操作によって一定量の内容物
を精度良く容易に取り出すことができ、定量注出時に内容物によって手を汚す恐れがない定量注出機能付きパウチを提供することを目的とする。
【課題を解決するための手段】
【０００５】
上記課題を解決するため、本発明の請求項１に係る発明は、
一対のシートである第１シート及び第２シートを、互いに対向させてシールすることにより、内容物を収容するための袋状の部分が形成され、前記袋状の部分は、上部から順に、
注出口部、定量注出部、連通部、内容物収容部からなり、前記注出口部は、内容物を注出するための口栓を備え、前記定量注出部と前記内容物収容部が前記連通部を介して連通し、前記連通部にチャック部が形成されているパウチであって、
前記チャック部は、雄型シール部と雌型シール部とを備えており、各シール部は、突出部とシートを有し、前記雄型シール部は、雄型を構成する雄型シートの背面と前記第１シートの内面とが互いにシールされて形成され、前記雌型シール部は、雌型を構成する雌型シートの背面と前記第２シートの内面とが互いにシールされて形成されていて、
前記雄型シール部は、前記定量注出部側に雄上側突出部と、前記内容物収容部側に雄下側突出部とを備え、前記雄上側突出部と前記雄下側突出部のそれぞれの先端部付近の断面の形状が、非対称になっていることを特徴とするパウチである。
【０００６】
また、請求項２に記載の発明は、
一対のシートである第１シート及び第２シートを、互いに対向させてシールすることにより、内容物を収容するための袋状の部分が形成され、前記袋状の部分は、上部から順に、注出口部、定量注出部、連通部、内容物収容部からなり、前記注出口部は、内容物を注出
するための口栓を備え、前記定量注出部と前記内容物収容部が前記連通部を介して連通し、
前記連通部にチャック部が形成されているパウチであって、
前記チャック部は、雄型シール部と雌型シール部とを備えており、各シール部は、突出部とシートを有し、前記雄型シール部は、雄型を構成する雄型シートの背面と前記第１シートの内面とが互いにシールされて形成され、前記雌型シール部は、雌型を構成する雌型シートの背面と前記第２シートの内面とが互いにシールされて形成されていて、
前記雌型シール部は、前記定量注出部側に雌上側突出部と、前記内容物収容部側に雌下側突出部とを備え、前記雌上側突出部と前記雌下側突出部のそれぞれの先端部付近の断面の形状が、非対称になっていることを特徴とするパウチである。
【発明の効果】
【０００７】
本発明のパウチでは、パウチを単に倒立、正立させる簡単な操作によって、一定量の内
容物を精度良く容易に取り出すことが可能となる。また、内容物に手を触れずに手を汚すことなく、一定量の内容物を精度良く取り出すことができる。
【図面の簡単な説明】
【０００８】
【図１】本発明の定量注出機能付きパウチの１例を示すもので、使用時の正面図である。
【図２】図１のパウチの使用状態を説明する図である（倒立図）。
【図３】図１のパウチの使用状態を説明する図である（正立図）。
【図４】図１のパウチの使用状態を説明する図である（注出図）。
【図５】チャック部の１例を示す断面図。
【図６】チャック部の他の例を示す断面図。
【発明を実施するための形態】
【０００９】
以下、図面に基づいて、本発明の実施の形態の一例を具体的に説明する。
図１は、内容物６が封入されたパウチ２０の正面図である。パウチ２０は、互いに対向する一対の第１シート２１および第２シート２２が互いにヒートシールされていることにより、内部に空間を形成し、上部から順に、注出口部１、定量注出部２、連通部３、内容物収容部４から構成されており、内溶物６は内容物収容部４に収容されている。内容物６の一例は、点滴用医薬液である。
【００１０】
第１シート２１および第２シート２２の一方の側部は、互いにヒートシールされている
ことにより側部シール部７を形成している。第１シート２１および第２シート２２の他方の側部は、互いにヒートシールされていることにより、側部シール部８を形成している。第１シート２１および第２シート２２の上部は、互いにヒートシールされていることにより、上部シール部９を形成している。同様に底部は、底部シール部１０を形成している。
【００１１】
各シート２１〜２２は、同一の層構造を有する積層シートであり、一例として、透明な材料により形成された最外層、中間層、および、最内層により構成されている。最外層を構成する材料の一例は、ポリエチレンテレフタレートである。中間層は、一例として、印刷層、第１接着層、延伸ナイロン層、および、第２接着層により構成されている。印刷層は、最外層の内側に形成され、外面に絵柄および商品説明のテキスト等が印刷されている。第１接着層は、印刷層の内側に形成されている。延伸ナイロン層は、第１接着層の内側に形成されている。第２接着層は、延伸ナイロン層の内側に形成されている。最内層は、第２接着層の内側に形成されている。最内層を構成する材料の一例は、無延伸ポリプロピレンである。
【００１２】
プラスチックフィルムのシートを単層とするか、或いはどのような層構成のものとする
かは、パウチに充填する内容物の性状に応じて選択すればよい。また、一対のシートをシールしてパウチとして構成してもよいが、１枚のフィルムを折り返して使用してもよい。また、本発明のパウチの形態には特に制限はなく、平袋のほかに、ピロー袋、ガセット袋、スタンディングパウチ等の各種形状のパウチに本発明を適用することができる。
【００１３】
図１に示すように、上部シール部９には、注出口部１が形成されていて、注出口部１に
は、キャップ１１の付いた注出口１２が取り付けられており、注出口１２は下部の台座部１４を備えており、注出口１２から台座部１４まで、その中央を貫通する注出路１３が設けられている。注出路１３は、外面上は見えないので、図１では点線で示してある。注出口部１は、キャップ１１の付いた注出口１２と、下部の台座部１４と、注出路１３からなる。そして、キャップ１１を外すと内容物を注ぎ出すことができる。材料的には、注出口１２には、第１シート２１および第２シート２２に用いられる樹脂と熱融着可能な樹脂が用いられる。このため、ポリエチレン系やポリプロピレン系の樹脂が好ましく用いられる。
また、キャップ１１にもポリエチレン系やポリプロピレン系の樹脂が好ましく用いられる。
【００１４】
図５は、チャック部の１例を示す断面図である。図５を参照してチャック部５の構成について説明する。定量注出部２と内容物収容部４が連通部３を介して連通し、連通部３に
チャック部５が形成されている。チャック部５は、雄型シール部２３と雌型シール部２４とを備えており、雄型シール部２３は、雄型を構成する雄型シート２３ｃの背面と第１シート２１の内面とが互いにシールされて形成され、雌型シール部２４は、雌型を構成する雌型シート２４ｃの背面と第２シートの内面とが互いにシールされて形成されている。
【００１５】
図５に示すように、チャック部５は、雌雄咬合型のチャックであって、雌型シール部２４と雄型シール部２３によって構成されている。雌型シール部２４は、雄型シール部２３を挿入した場合に、雄型部分の上側と下側を挟むようになっている。雌型シール部２４は、内側に向かって突出する雌上側突出部２４ａと雌下側突出部２４ｂを備えている。雄型シール部２３は、その上側に沿って雄上側突出部２３ａ、その下側に沿って雄下側突出部２３ｂがそれぞれ突出する形になっている。ここで、チャック部５に対し、上側とは定量注出部側を指し、下側とは内容物収容部側を指す。
【００１６】
チャック部５の定量注出部側の嵌合強度を、内容物収容部側の嵌合強度より強めるために、図５に示すように、雄上側突出部２３ａと雄下側突出部２３ｂの断面のそれぞれの先端付近の形状を異なるようにした。すなわち、雄上側突出部２３ａの先端部は、根元方向に折り返すフック状となっているが、雄下側突出部２３ｂの先端部は、折り返し部分がなく、単に山形の外側に向かった出っ張りがあるだけである。このようにすれば、雄下側突出部２３ｂと雌下側突出部２４ｂとの引っかかり具合が浅くなるので、内容物収容側からのチャック部５の咬合解除は、弱い力でなされることとなる。それに比較し、反対側の、雄上側突出部２３ａと雌上側突出部２４ａとの引っかかり具合は深く、定量抽出部側からのチャック部５の咬合解除にはより強い力が必要となる。従って、内容物収容側からのチャック部５は開きやすく、定量抽出部側からのチャック部５は開きにくいこととなる。
【００１７】
チャック部５の定量抽出部側の嵌合強度を、内容物収容部側の嵌合強度より強める方法
として、雄上側突出部２３ａと雄下側突出部２３ｂの断面のそれぞれの先端付近の形状を異なるようにしたが、他の例として、雌上側突出部２４ａと雌下側突出部２４ｂの形状を異なるようにしても良い。図６に示すように、雌下側突出部２４ｂの断面形状を折り返さずストレートな形状にすれば、雄下側突出部２３ｂと雌下側突出部２４ｂとの引っかかり具合が浅くなるので、チャック部５の咬合解除は、弱い力でなされることとなり、前記の例と同様の結果が得られる。
【００１８】
次に、このパウチ２０を使用して、一定量の内容物を定量注出して取り出す場合について説明する。パウチ２０は、上部から順に、注出口部１、定量注出部２、連通部３、内容物収容部４に分かれており、連通部３には、チャック部５が形成されている。初期状態では、連通部３に形成されたチャック部５は閉じられていて、内容物を内容物収容部４に封止している。ここで図２のように、このパウチ全体を倒立させると、内容物が連通部３及び定量注出部２のほうに移動するが、内容物の内圧によってチャック部５の咬合解除が起こり、チャック部５は開き、内容物はさらに定量注出部２へと移動する。
【００１９】
定量注出部２が内容物で満たされた後、チャック部５を閉じてから、図３に示すように、
正立に戻した場合、チャック部５には、定量注出部２内の内容物の内圧がかかるが、咬合状態を保ち続けるので、チャック部５の咬合解除は起らず、定量注出部２の内容物は定量のまま保持される。このように内容物を定量注出した後、図４に示すように、倒立させて注出口部１の注出口１２のキャップ１１を外すと、内容物を容易に取り出すことができる。
このように、本発明のパウチでは、パウチを単に倒立、正立させる簡単な操作によって、一定量の内容物を精度良く容易に取り出すことが可能となる。また、内容物に手を触れずに手を汚すことなく、一定量の内容物を精度良く取り出すことができる。  
【符号の説明】
【００２０】
１・・・注出口部
２・・・定量注出部
３・・・連通部
４・・・内容物収容部
５・・・チャック部
６・・・内容物
７・・・側部シール部
８・・・側部シール部
９・・・上部シール部
１０・・・底部シール部５
１１・・・キャップ
１２・・・注出口
１３・・・台座部
１４・・・注出路
２０・・・パウチ  
２１・・・第１シート
２２・・・第２シート
２３・・・雄型シール部
２３ａ・・・雄上側突出部
２３ｂ・・・雄下側突出部
２３ｃ・・・雄型シート
２４・・・雌型シール部
２４ａ・・・雌上側突出部
２４ｂ・・・雌下側突出部
２４ｃ・・・雌型シート
【図１】
2020045104.tif 000003
【図２】
2020045104.tif 000004
【図３】
2020045104.tif 000005
【図４】
2020045104.tif 000006
【図５】
2020045104.tif 000007
【図６】
2020045104.tif 000008